(57)【要約】【課題】磁石と外力による不正行為を共通のセンサを用いて検知できるようにした弾球遊技機を提供する。【解決手段】遊技盤３の裏面側に磁力と外力の両方を検知可能なセンサ１８を配設する。このセンサ１８は、内部に球状空間Ｓを有する検知体１９と、磁石の磁力や外力を受けて球状空間Ｓ内を流動可能な導電性を有する磁性流動体２０と、磁性流動体２０に覆われるように球状空間Ｓの内底部に設けられた第１接点２１と、磁性流動体２０よりも上方位置で球状空間Ｓの内周面に階層状に設けられた複数のリング状導体２２と、各リング状導体２２の少なくとも１つと選択的に導通可能で第２接点として機能する調整部材２３とによって構成されており、第１接点２１と第２接点（調整部材２３）間が磁性流動体２０を介して導通状態になると、警報装置２４が作動して警告灯や警報音を報知するようにした。【選択図】図５
2009082202.tif 000002
【特許請求の範囲】
【請求項１】
遊技盤の裏面側に配設されて内部に球状空間を有する検知体と、前記球状空間内に流動可能に収納された導電性を有する磁性流動体と、この磁性流動体に覆われるように前記球状空間の内底部に設けられた第１接点と、前記磁性流動体よりも上方の前記球状空間の内周面に階層状に設けられた複数のリング状導体と、これらリング状導体の少なくとも１つと選択的に導通可能で第２接点として機能する調整部材と、前記第１接点と前記第２接点に接続されて不正行為を報知可能な警報手段とを備え、
前記磁性流動体が遊技盤に近付けられた磁石または遊技盤に加えられた外力によって前記球状空間内を流動したとき、この磁性流動体を介して前記第１接点と前記第２接点との間を導通状態にして前記警報手段が動作されるようにしたことを特徴とする弾球遊技機。
【請求項２】
請求項１の記載において、前記検知体の少なくとも上部側を球状の外周面となし、この外周面に前記調整部材を上下方向へ移動可能に配置したことを特徴とする弾球遊技機。
【請求項３】
請求項１の記載において、前記検知体が吊り下げ状態で揺動可能に支持されて遊技盤の裏面に当接していることを特徴とする弾球遊技機。
【発明の詳細な説明】
【技術分野】
【０００１】
本発明は、パチンコ店等の遊技場に設置して使用される弾球遊技機に係り、特に、磁石や外力等の外的要因による不正行為を防止することのできる機能を備えた弾球遊技機に関するものである。
【背景技術】
【０００２】
パチンコ機に代表される弾球遊技機の中には、特定の始動入賞口に遊技球が入賞したことを契機に抽選を行い、その抽選結果が大当たりとなったときにアタッカーと呼ばれる大入賞口を開放するようにした機種が存在する。このような弾球遊技機においては、磁石を用いて遊技球の流下経路を意図的に変えることによって遊技球を始動入賞口へ導いたり、弾球遊技機を叩いたり揺らす等の外力を加えることによって遊技球を始動入賞口へ誘導する、という不正行為が行われる可能性がある。
【０００３】
そこで、従来より、遊技盤の裏面側に磁気検知センサと振動検知センサを配設し、磁気検知センサが磁石の磁力を検知したとき、あるいは振動検知センサが外部からの振動を検知したとき、警報装置を作動させたり主電源を遮断することによって不正行為を防止するようにした弾球遊技機が知られている（例えば、特許文献１参照）。
【特許文献１】特開２００３−２３６１８８号公報
【発明の開示】
【発明が解決しようとする課題】
【０００４】
しかしながら、前述した従来の弾球遊技機では、磁石による不正行為を検知するための磁気検知センサと外力による不正行為を検知するための振動検知センサという２種類の検知センサが必要となるので、これら両検知センサによってコストアップを招来するという問題があり、また遊技盤の裏面側の限られたスペースに２種類の検知センサを個別に配置しなければならないので、センサ部品のレイアウト等を含めた回路設計上の自由度が大きく制約されるという問題もあった。
【０００５】
本発明は、このような従来技術の実情に鑑みてなされたもので、その目的は、磁石と外力による不正行為を共通のセンサを用いて検知できるようにした弾球遊技機を提供することにある。
【課題を解決するための手段】
【０００６】
上記の目的を達成するために、本発明の弾球遊技機は、遊技盤の裏面側に配設されて内部に球状空間を有する検知体と、前記球状空間内に流動可能に収納された導電性を有する磁性流動体と、この磁性流動体に覆われるように前記球状空間の内底部に設けられた第１接点と、前記磁性流動体よりも上方の前記球状空間の内周面に階層状に設けられた複数のリング状導体と、これらリング状導体の少なくとも１つと選択的に導通可能で第２接点として機能する調整部材と、前記第１接点と前記第２接点に接続されて不正行為を報知可能な警報手段とを備え、前記磁性流動体が遊技盤に近付けられた磁石または遊技盤に加えられた外力によって前記球状空間内を流動したとき、この磁性流動体を介して前記第１接点と前記第２接点との間を導通状態にして前記警報手段が動作されるように構成した。
【０００７】
このように構成された弾球遊技機では、遊技盤の前方に磁石が近付けられると、該磁石の磁力によって磁性流動体が検知体の球状空間内を流動し、弾球遊技機を叩いたり揺らす等の外力が加えられると、該外力によって磁性流動体が検知体の球状空間内を流動し、いずれの場合も第１接点と第２接点間が流動した磁性流動体を介して導通状態となって警報手段を作動させるため、検知体を共通のセンサとして磁石による不正行為と外力による不正行為の両方を検知することができる。しかも、検知体の球状空間の内周面に複数のリング状導体を階層状に設け、第２接点として機能する調整部材を各リング状導体の少なくとも１つと選択的に導通可能としたので、球状空間内を流動する磁性流動体が第２接点に導通する動作タイミングを複数段階に可変調整でき、検知感度を調整可能な使い勝手の良いセンサを実現することができる。
【０００８】
上記の構成において、検知体の少なくとも上部側を球状の外周面となし、この外周面に調整部材を上下方向へ移動可能に配置すると、検知体の外周面に露出する調整部材を上下方向へスライド操作することにより、センサの感度調整を簡単に行うことができて好ましい。
【０００９】
また、上記の構成において、検知体は遊技盤の裏面に固定的に設置されていても良いが、検知体が吊り下げ状態で揺動可能に支持されて遊技盤の裏面に当接していると、遊技盤に作用する外力によって検知体が揺動したとき、その揺動動作に伴って磁性流動体が球状空間内を大きく流動するため、外力による不正行為をより確実に検出することができる。
【発明の効果】
【００１０】
本発明の弾球遊技機は、遊技盤の裏面側に配設された検知体の球状空間内に導電性を有する磁性流動体を収納し、この磁性流動体が遊技盤に近付けられた磁石の磁力または遊技盤に加えられた外力によって球状空間内を流動したとき、第１接点と第２接点間を磁性流動体を介して導通状態にして警報手段が作動されるようにしたので、検知体を共通のセンサとして磁石による不正行為と外力による不正行為の両方を検知することができ、その分、コストの低減化を図ることができる。また、検知体の球状空間の内周面に複数のリング状導体を階層状に設け、第２接点として機能する調整部材を各リング状導体の少なくとも１つと選択的に導通可能としたので、球状空間内を流動する磁性流動体が第２接点に導通する動作タイミングを複数段階に可変調整でき、検知感度を調整可能な使い勝手の良いセンサを実現することができる。
【発明を実施するための最良の形態】
【００１１】
発明の実施の形態について図面を参照して説明すると、図１は本発明の実施形態例に係る弾球遊技機の正面図、図２は該弾球遊技機の要部断面図、図３は該弾球遊技機に備えられるセンサの説明図、図４は該センサに備えられるリング状導体と調整部材の説明図、図５は該センサの検知動作を示す説明図である。
【００１２】
図１に示すように、本実施形態例に係る弾球遊技機は、遊技場の島設備に設置される機枠１と、機枠１に扉状に開閉自在に取り付けられた前面枠２と、前面枠２に収容された遊技盤３と、前面枠２の前面に扉状に開閉自在に取り付けられたガラス枠４と、前面枠２の下側に配設された受皿５を有する前面ボード６と、前面ボード６に取り付けられた発射ハンドル７等を具備しており、この発射ハンドル７を用いて受皿５に貯留された遊技球が遊技盤３の遊技領域に向けて発射されるようになっている。
【００１３】
遊技盤３はその前面にガイドレール８等で囲まれた遊技領域９を有しており、遊技者によって発射ハンドル７が回転操作されると、遊技領域９に対して遊技球が図示せぬ発射装置から打ち出されるようになっている。遊技領域９の中央部には液晶パネル（ＬＣＤ）等からなる図柄表示装置１０が配設されており、この図柄表示装置１０の下方位置には一対の可動片を有する始動入賞口１１が配設されている。また、図柄表示装置１０の図示左側には通過チャッカー１２が配設されており、この通過チャッカー１２を遊技球が通過することを契機に普通絵柄表示の抽選が行われ、その抽選結果が当たりの場合に始動入賞口１１の可動片を一時的に開放するようになっている。さらに、始動入賞口１１の下方位置にはアタッカーと呼ばれる大入賞口１３が配設されており、この大入賞口１３は、始動入賞口１１に遊技球が入賞したことを契機に行われる特別絵柄表示の抽選結果に基づいて開閉動作される。具体的には、抽選結果が大当たりの場合、図柄表示装置１０上の変動表示を例えば「７７７」のように特定の図柄で停止させると共に、大入賞口１３が例えば１５回開放動作する。大入賞口１３は１回の開放について例えば３０秒経過するまで、あるいは遊技球が例えば１０個入賞するまで開放状態を維持し、かかる開放動作を１５回繰り返した後に大当たりが終了する。その他、遊技領域９には遊技球の払い出しのみを行う複数の一般入賞口１４が配設されており、いずれの入賞口にも入賞しなかった遊技球は遊技領域９の最下端部に設けられたアウト口１５から遊技盤３の裏面側に排出されるようになっている。
【００１４】
図２に示すように、遊技盤３の裏面側の最上部には上面を開口する保留タンク１６が配設されており、この保留タンク１６内に遊技場の島設備から供給される遊技球が逐次補充されるようになっている。また、保留タンク１６の下方位置には図柄表示装置１０の制御基板等を収納する制御ボックス１７が配設されており、この制御ボックス１７の下方位置に磁力と外力を検知可能なセンサ１８が配設されている。
【００１５】
図３に示すように、このセンサ１８は、内部に球状空間Ｓを有する中空構造の検知体１９と、球状空間Ｓの内部に流動可能に収納された導電性を有する磁性流動体２０と、この磁性流動体２０に覆われるように球状空間Ｓの内底部に設けられた第１接点２１と、磁性流動体２０よりも上方位置で球状空間Ｓの内周面に階層状に設けられた複数のリング状導体２２と、検知体１９の外周面に上下方向（矢印Ａ−Ｂ方向）へ移動可能に配置された調整部材２３とによって構成されており、第１接点２１と調整部材２３は警告灯や警報音を報知可能な警報装置２４に接続されている。
【００１６】
検知体１９は合成樹脂製の半球状体を接合・一体化して球状体にしたものであり、両半球状体は内部を目視できるように透明な樹脂材料を用いて成形されている。この検知体１９は始動入賞口１１のほぼ反対側に位置する遊技盤３の裏面側に接着やねじ止め等の適宜手段を用いて固定されている。磁性流動体２０は磁性と導電性の両方の性質を持つ機能性物質であり、本実施形態例の場合は磁性流動体２０として粒度の非常に細かい砂鉄を用いているが、酸化鉄等の磁性超微粒子に界面活性剤を付着してベース液に分散させた磁性流体を用いることも可能である。この磁性流動体２０は検知体１９の内部に適宜の量、例えば球状空間Ｓの容積の約１／３程度だけ封入されており、磁石の磁力や外部振動を受けることによって球状空間Ｓ内をスムーズに流動できるようになっている。
【００１７】
各リング状導体２２は検知体１９の上下方向へ所定間隔を保って配列されており、本実施形態例の場合は４本のリング状導体２２を用いているが、リング状導体２２の数は必要に応じて適宜増減しても良い。調整部材２３は第１接点２１に対応する第２接点として機能するものであり、磁性流動体２０は第１接点２１と第２接点（調整部材２３）との間を接離する可動接点として機能している。図４に示すように、４本のリング状導体２２に上から順に符号２２ａ、２２ｂ、２２ｃ、２２ｄを付すと、調整部材２３を検知体１９の外周面に沿って上下方向（矢印Ａ−Ｂ方向）へスライド操作することにより、調整部材２３と各リング状導体２２ａ〜２２ｄの少なくとも１つが選択的に導通するようになっている。すなわち、調整部材２３が図４に示す位置にスライド操作された場合は、上から２つのリング状導体２２ａ，２２ｂが調整部材２３に導通されて第２接点となり、調整部材２３が図４の矢印Ａ方向へスライド操作されると、最上段のリング状導体２２ａのみが調整部材２３に導通されて第２接点となり、その反対に調整部材２３が図４の矢印Ｂ方向へスライド操作されると、下から２つのリング状導体２２ｃ，２２ｄが調整部材２３に順次導通されて第２接点となる。このように調整部材２３を検知体１９の外周面に沿って上下方向へスライド操作すると、磁性流動体２０の上面と第２接点（調整部材２３）に導通する各リング状導体２２ａ〜２２ｄとの距離が段階的に変化するため、以下に説明するように、調整部材２３によってセンサ１８の検知感度を複数段階に可変調整することができる。
【００１８】
例えば、図５に示すように、最下段のリング状導体２２ｄが調整部材２３に導通されて第２接点となっている場合、通常の使用状況下で磁性流動体２０の上面は同図の破線で示す位置にあるため、磁性流動体２０中に埋設された第１接点２１と第２接点に導通するリング状導体２２ｄとの間は遮断されており、警報装置２４は非作動状態に維持されている。そして、磁性流動体２０が磁石の磁力や外部振動（外力）を受けて球状空間Ｓ内を流動すると、磁性流動体２０の上部がリング状導体２２ｄに接触した時点で、第１接点２１と第２接点（調整部材２３）間が磁性流動体２０を介して導通状態となるため、警報装置２４が作動状態となって警告灯や警報音を報知する。その際、第１接点２１と第２接点（調整部材２３）間がオン動作するタイミングは第２接点となる各リング状導体２２ａ〜２２ｄの位置に応じて変化し、第２接点として最下段のリング状導体２２ｄが選択された場合に、第１接点２１と第２接点間は磁性流動体２０の最も少ない流動量でオン動作し、第２接点として選択されたリング状導体２２が上方のリング状導体２２ｂ、２２ｃ、２２ｄへ移行するほど、磁性流動体２０が球状空間Ｓ内を大きく流動しないと第１接点２１と第２接点間はオン動作しなくなる。
【００１９】
このように構成された弾球遊技機において、遊技盤３の前方に磁石を近付けて遊技球の流下経路を意図的に変えるという不正行為や、遊技盤３に叩いたり揺らす等の外力を加えて遊技球を始動入賞口１１等へ強引に誘導するという不正行為が行われると、図５に示すように、これら磁石の磁力や外力を受けて磁性流動体２０が検知体１９の球状空間Ｓ内を流動して調整部材２３に導通する最下段のリング状導体２２に接触するため、第１接点２１と第２接点（調整部材２３）間が磁性流動体２０を介して導通状態となって警報装置２４を作動させ、警報装置２４から警告灯や警報音が報知される。したがって、遊技盤３の裏面側に設置した共通のセンサ１８によって磁石による不正行為と外力による不正行為の両方を検知することができ、その分、センサ部品の共通化によるコストダウンを実現できると共に、センサ部品のレイアウトを含めた回路設計上の自由度を高めることができる。しかも、センサ１８を構成する検知体１９の球状空間Ｓの内周面に複数のリング状導体２２（２２ａ〜２２ｄ）を階層状に設け、第２接点として機能する調整部材２３を各リング状導体２２の少なくとも１つと選択的に導通可能としたので、球状空間Ｓ内を流動する磁性流動体２０が第２接点に導通する動作タイミングを複数段階に可変調整でき、検知感度を調整可能な使い勝手の良いセンサ１８を実現することができる。
【００２０】
なお、上記実施形態例に係る弾球遊技機では、センサ１８を遊技盤３の裏面側に固定した場合について説明したが、図６に示すように、検知体１９に固着した支軸２５の上端を遊技盤３の裏面側に軸支することにより、センサ１８を吊り下げ状態で揺動可能に支持するようにしても良い。この場合、支軸２５は中空のパイプ材からなり、第１接点２１と第２接点（調整部材２３）から導出する図示せぬリード線は支軸２５の内部を通って所定位置まで引き回されるようになっている。また、通常の使用状況下で支軸２５はセンサ１８の自重によって鉛直方向を向いており、検知体１９の外側面は遊技盤３の裏面から突出するストッパ２６に当接している。
【００２１】
このように構成された弾球遊技機においても、検知体１９自体の構成は上記実施形態例（図３参照）と基本的に同じであるため、遊技盤３の前方に磁石を近付けて遊技球の流下経路を変えるという不正行為が行われると、磁性流動体２０が磁石の磁力を受けて球状空間Ｓ内を流動することにより、第１接点２１と第２接点（調整部材２３）間が導通して警報装置２４を作動させることができる。また、遊技盤３に叩いたり揺らす等の外力を加えて遊技球を始動入賞口１１等へ強引に誘導するという不正行為が行われると、この外力がストッパ２６を介して検知体１９に伝達されることにより、検知体１９が図６の矢印Ｃ方向へ揺動した後、矢印Ｄ方向へ揺動復帰してストッパ２６に衝突するため、かかる検知体１９の一連の揺動動作に伴って磁性流動体２０が球状空間Ｓ内を大きく流動する。その結果、第１接点２１と第２接点（調整部材２３）間が導通して警報装置２４を作動させるため、外力による不正行為を確実に検出することができる。
【００２２】
なお、図６に示す実施形態例のように、センサ１８を吊り下げ状態で揺動可能に支持した場合、遊技場の店員が球詰まり等を解消するためにガラス枠４を開閉動作したときも、センサ１８が遊技盤３に作用する比較的小さな外力を検出して警報装置２４を作動させる虞がある。そこで、遊技者が叩いたり揺らす等の不正行為によって遊技盤３に加えられる外力と、遊技場の店員が前面枠２やガラス枠４を開放するという正規の行為に遊技盤３に加えられる外力とを区別するために、例えば前面枠２やガラス枠４の開放動作を検出可能なスイッチを設け、このスイッチが動作したときは警報装置２４を非作動状態に維持するようにすれば、警報装置２４が不正行為以外の時に誤動作することを防止できる。
【図面の簡単な説明】
【００２３】
【図１】本発明の実施形態例に係る弾球遊技機の正面図である。
【図２】該弾球遊技機の要部断面図である。
【図３】該弾球遊技機に備えられるセンサの説明図である。
【図４】該センサに備えられるリング状導体と調整部材の説明図である。
【図５】該センサの検知動作を示す説明図である。
【図６】該センサを吊り下げ状態に設置した変形例を示す説明図である。
【符号の説明】
【００２４】
２  前面枠
３  遊技盤
４  ガラス枠
９  遊技領域
１１  始動入賞口
１８  センサ
１９  検知体
２０  磁性流動体
２１  第１接点
２２、２２ａ、２２ｂ、２２ｃ、２２ｄ  リング状導体
２３  調整部材（第２接点）
２４  警報装置（警報手段）
２５  支軸
２６  ストッパ
Ｓ  球状空間
【図１】
2009082202.tif 000003
【図２】
2009082202.tif 000004
【図３】
2009082202.tif 000005
【図４】
2009082202.tif 000006
【図５】
2009082202.tif 000007
【図６】
2009082202.tif 000008